(57)【要約】【課題】簡単な構成で球抜き操作が可能となる球抜きユニットを安価で得る。【解決手段】ガラス枠８６、遊技盤枠８８を貫通する貫通穴９０を設け、貫通穴９０にピン部材９２を挿通させて、押圧レバー７２を押圧し、押圧部材５６を揺動させて押圧片７２によってマイクロスイッチ８０を押圧した後、弾性片７４によって押圧レバー７２を元の位置に戻す。このように、押圧部材５６を構成する基体部５８と押圧レバー７２と作動片７６と弾性片７４とを一体に設けることで、押圧レバー７２を復帰させる手段としてうず巻ばね等を用いた場合と比較して、部品点数を削減することができると共に、うず巻ばねを取り付ける手間が省けるため、作業工数も削減され、コストの軽減を図ることができる。また、ばねのへたりがないため、押圧レバー７２の復帰力のバラツキが小さい。【選択図】　　図６
2004135741.tif 000002
【特許請求の範囲】
【請求項１】
遊技機内に貯留された遊技球を前記遊技機から排出させる球抜きユニットにおいて、
遊技盤が設けられた遊技盤枠と、
前記遊技盤枠に対して回動可能に軸支された裏セット本体と、
を有する遊技機に用いられ、
前記遊技盤枠又は前記裏セット本体に配設され、遊技球の排出動作を制御する制御スイッチと、
前記遊技盤枠又は前記裏セット本体に配設され、前記制御スイッチを作動させる作動手段と、
前記遊技盤枠の前面側から前記作動手段を操作する操作手段と、
を有し、
前記作動手段が、
前記遊技盤枠又は前記裏セット本体に設けられた凹部と、
前記凹部内に収納された基体部と、
前記基体部に突設され、前記遊技盤枠又は前記裏セット本体に対して揺動可能に軸支された軸体と、
前記基体部から延出し、前記操作手段によって操作されると、軸体に回転モーメントを発生させる押圧レバーと、
前記基体部から延出し、前記押圧レバーが回転すると、前記基体部の揺動によって前記遊技盤枠又は前記裏セット本体に当接して弾性力が蓄積されると共に、前記制御スイッチを作動させる作動片と、
で構成されたことを特徴とする球抜きユニット。
【請求項２】
前記押圧レバーが、前記基体部から前記軸体と平行に延出し、前記作動片が、前記軸体を間に置いて前記押圧レバーの反対側に前記凹部からはみ出した状態で、押圧レバーが延出された方向に対して略直交する方向へ延出し、前記遊技盤枠又は前記裏セット本体に当接した状態で弾性力が蓄積されると共に伸長することを特徴とする請求項１に記載の球抜きユニット。
【請求項３】
前記作動片に対向して前記基体部から延出し、前記凹部に当接して押圧レバーが回転した状態で弾性力が蓄積される弾性片を設けたことを特徴とする請求項１又は２に記載の球抜きユニット。
【請求項４】
前記凹部が、前記遊技盤枠又は前記裏セット本体に凹設されたことを特徴とする請求項１〜３の何れかに記載の球抜きユニット。
【請求項５】
前記作動片を前記制御スイッチへガイドするガイドリブを設けたことを特徴とする請求項１〜４の何れかに記載の球抜きユニット。
【発明の詳細な説明】
【０００１】
【発明の属する技術分野】
本発明は、遊技機内に貯留された遊技球を前記遊技機から排出させる球抜きユニットに関するものである。
【０００２】
【従来の技術】
一般に、遊技機としてのパチンコ機は、賞球や貸球（ＣＲ機の場合）を排出する際に球排出装置を動作させて、パチンコ機背面上部の球貯溜タンクから供給されるパチンコ球を所定数ずつパチンコ機前面下部の球皿に排出する。通常は、球排出装置に供給するパチンコ球は、機内に貯えた状態で使用されるため、機台交換時や保守点検時等には、機内からパチンコ球を球抜きする必要がある。
【０００３】
このため、従来の一般的なパチンコ機は、球皿に通じる球流下路以外に、機外に通じる球抜き用流下路を設け、球抜き時に流路切換え機構によりパチンコ球の流路を球抜き用流下路に切り換えて、機内に貯えられたパチンコ球を球抜きするようにしている。
【０００４】
例えば、特許文献１では、営業中は、ホールコンピュータから球抜き制御回路に球抜き禁止信号を入力して球抜きを禁止し、かつ、電源切換スイッチを遊技位置に切り換えて、払出制御回路と遊技制御回路に電源を供給して遊技を可能にすると共に、球抜き制御回路への電源供給を遮断している。
【０００５】
一方、球抜きを行う時は、ホールコンピュータによる球抜き禁止信号を解除すると共に、電源切換スイッチを球抜き位置に切り換えて、球抜き制御回路のみに電源を供給する。
【０００６】
この状態で、パチンコ機の裏面に配置された球抜きスイッチを特定の操作パターンで操作すると、球抜き制御回路は、球排出装置を連続的に排出動作させて、機内のパチンコ球を、賞球が流下する場合と同じ球流下路から球皿内へ排出させて球抜きを行う。しかし、このように、ホールコンピュータによる制御を行うとなると、コストが高くなってしまう。
【０００７】
一方、特許文献２では、図８に示すように、裏セット本体１００に設けられた機構板１０２には、球タンク（図示省略）及び球タンクと連通する球通路１０３が配設されており、この球通路１０３の一部には、球抜口１０４が設けられている。
【０００８】
この球抜口１０４には、揺動して球抜口１０４を開閉させる弁部材６が設けられており、略へ字状に形成された弁部材１０６が反時計回りに回動すると、弁部材１０６の弁部１０６Ａが球抜口１０４を開放して、遊技球を球抜き通路１０５へ案内するようになっている。
【０００９】
また、弁部材１０６には弁部１０６Ａの反対側に係合部１０６Ｂが設けられており、機構板１０２に揺動可能に配設されたロック片１０８と係合可能となっている。
【００１０】
ここで、図９に示すように、機構板１０２にはロック片１０８と直交する方向に対して揺動可能に軸支されたレバー片１１０が設けられており、このレバー片１１０は、起立した状態で配置され、ストッパ１１２によって保持されている。
【００１１】
また、レバー片１１０には、ロック片１０８に連結されたロッド１１４の先端部が当接しており、レバー片１１０を揺動させることによって、ロッド１１４を介してロック片１０８が時計回りに下方へ向かって回動する。
【００１２】
これにより、ロック片１０８に係合された弁部材１０６の係合部１０６Ｂが係合解除され、弁部材１０６が時計回りに回動して弁部材１０６の弁部１０６Ａによって、球抜口１０４が開放される。
【００１３】
具体的には、遊技盤が取付けられた遊技盤枠１１５に形成された穴部１１８から専用のピン部材１２０を挿通させ、裏セット本体１００の裏面側に配設されたレバー片１１０をピン部材１２０の先端部で押圧すると、ストッパ１１２は弾性変形し、弾性力が蓄積される。
【００１４】
そして、球抜きが完了すると弁部材１０６が弁部材１０６自体の重量バランスにより時計回りに回動し、係合部１０６Ｂがロック片１０８の上に載置され、ロック片１０８と係合可能な状態となる。一方、レバー片１１０の押圧力を解除すると、ストッパ１１２が復元して、レバー片１１０を元の位置に戻す。これにより、ロッド１１４を介してロック片１０８が反時計回りに上方へ向かって回動し、これにより、球抜口１０４が閉止される。
【００１５】
このように、球抜口１０４を開閉させる弁部材１０６及び弁部材１０６を揺動させるレバー片１１０を裏セット本体１００の裏面側に配設することで、遊技者が直接レバー片１１０を操作するということはできないため、遊技者による不正を防止することはできるが、機構が複雑で、部品点数が多いため、コストアップとなってしまう。
【００１６】
さらに、特許文献３において、図１０及び図１１に示すように、パチンコ機１１６の裏面側には、箱体１１８が設けられており、箱体１１８内には箱体１１８の開口を閉塞する平板状の作動部材１２０が収納されている。
【００１７】
この作動部材１２０の一端側には、張出片１２２、１２４が張り出しており、この張出片１２２、１２４には穴部１２６、１２８が形成されている。この穴部１２６、１２８には固定軸１３０が貫通しており、固定軸１３０が箱体１１８に固定された状態で、箱体１１８に対して作動部材１２０が揺動可能に軸支される。
【００１８】
また、張出片１２２の内面には、穴部１２８の近傍に溝部１３２が設けられており、この溝部１３２にはうず巻ばね１３４の一端部が固定されている。一方、張出片１２２には、図示しない挿通穴が貫通しており、この挿通穴にうず巻ばね１３４の他端部が挿通して箱体１１８に固定される。
【００１９】
ここで、うず巻ばね１３４は、一端部を作動部材１２０に固定し、他端部を箱体１１８に固定して、作動部材１２０の自由端側を箱体１１８の底面から離間させる方向へ付勢している。
【００２０】
ところで、作動部材１２０の自由端側に位置する箱体１１８の底面には、球抜き操作を行なう制御スイッチ１４０が配設されており、うず巻ばね１３４の付勢力の抗する方向へ作動部材１２０を押圧すると、作動部材１２０を介して、制御スイッチ１４０のスイッチ部１４０Ａが押圧されるようになっている。
【００２１】
そして、作動部材１２０を押圧する押圧力を解除すると、うず巻ばね１３４の復元力によって、作動部材１２０が制御スイッチ１４０のスイッチ部１４０Ａから離間し、元の位置に戻る。
【００２２】
ここで、パチンコ機１１６の外周側には、貫通穴１４２が形成されており、作動部材１２０を押圧可能なピン部材１４４が挿通可能となっている。このピン部材１４４を挿通させ、作動部材１２０を押圧し、作動部材１２０を介して制御スイッチ１４０のスイッチ部１４０Ａを押圧することで、スイッチ部１４０Ａをピン部材１４４の先端面で押圧するよりも、確実にスイッチ部１４０Ａを押圧することができるようにしている。
【００２３】
しかし、貫通穴１４２はできるだけパチンコ機１１６の端部側に設けた方が良く、また、スイッチ部１４０Ａは貫通穴１４２の中心線上に配設しなければならないため、制御スイッチ１４０の配設自由度が狭くなってしまう。また、作動部材１２０及び固定軸１３０へのうず巻ばね１３４の装着が面倒であり、作業工数が増大し、コストアップの原因となってしまう。
【００２４】
【特許文献１】
特開２０００−１２６４１０公報（第４−５頁、図１）
【特許文献２】
特開平７−２４６２７７号公報（第２−３頁、図１−図３）
【特許文献３】
特開平５−１６８７５４号公報（第３頁、図３−図５）
【００２５】
【発明が解決しようとする課題】
本発明は上記事実を考慮し、簡単な構成で球抜き操作が可能となる球抜きユニットを安価で提供することを課題とする。
【００２６】
【課題を解決するための手段】
請求項１に記載の発明は、遊技機内に貯留された遊技球を前記遊技機から排出させる球抜きユニットにおいて、遊技盤が設けられた遊技盤枠と、前記遊技盤枠に対して回動可能に軸支された裏セット本体と、を有する遊技機に用いられ、前記遊技盤枠又は前記裏セット本体に配設され遊技球の排出動作を制御する制御スイッチと、前記遊技盤枠又は前記裏セット本体に配設され前記制御スイッチを作動させる作動手段と、前記遊技盤枠の前面側から前記作動手段を操作する操作手段と、を有し、前記作動手段が、前記遊技盤枠又は前記裏セット本体に設けられた凹部と、前記凹部内に収納された基体部と、前記基体部に突設され、前記遊技盤枠又は前記裏セット本体に対して揺動可能に軸支された軸体と、前記基体部から延出し、前記操作手段によって操作されると、軸体に回転モーメントを発生させる押圧レバーと、前記基体部から延出し、前記押圧レバーが回転すると、前記基体部の揺動によって前記遊技盤枠又は前記裏セット本体に当接して弾性力が蓄積されると共に、前記制御スイッチを作動させる作動片と、を有することを特徴としている。
【００２７】
請求項１に記載の発明では、遊技盤枠又は裏セット本体には凹部が備えられており、この凹部内には基体部が収納されている。基体部からは軸体が突設し、遊技盤枠又は裏セット本体に対して揺動可能に軸支されている。この基体部から押圧レバー及び作動片を延出させている。
【００２８】
押圧レバーは、操作手段によって操作されると、軸体に回転モーメントを発生させ、作動片は、押圧レバーが回転すると、基体部の揺動によって遊技盤枠又は裏セット本体に当接して弾性力を蓄積すると共に制御スイッチを作動させる。
【００２９】
作動片は、遊技盤又は裏セット本体に当接して弾性力を蓄積するため、押圧レバーを操作する力を解除すると、蓄積された弾性力によって復元し、押圧レバーを元の位置に復帰させることができる。
【００３０】
このように、押圧レバー及び作動片を基体部から延出させることで、押圧レバー及び作動片を基体部と一体に設けることができ、また、操作手段によって操作された押圧レバーを、作動片によって復帰させることで、押圧レバーを復帰させる手段としてうず巻ばね等を用いた場合と比較して、部品点数を削減することができると共に、うず巻ばねを取り付ける手間が省けるため、作業工数も削減され、コストの軽減を図ることができる。また、ばねのへたりがないため、押圧レバーの復帰力のバラツキが小さい。
【００３１】
請求項２に記載の発明は、前記押圧レバーが、前記基体部から前記軸体と平行に延出し、前記作動片が、前記軸体を間に置いて前記押圧レバーの反対側に前記凹部からはみ出した状態で、押圧レバーが延出された方向に対して略直交する方向へ延出し、前記遊技盤枠又は前記裏セット本体に当接した状態で弾性力が蓄積されると共に伸長することを特徴としている。
【００３２】
請求項２に記載の発明では、作動片を、押圧レバーが延出された方向に対して略直交する方向へ延出させ、また、遊技盤枠又は裏セット本体に当接した状態で弾性力が蓄積されると共に伸長させることで、押圧レバーが操作手段から受ける力の向きと作動片が移動する方向とを変えることができる。
【００３３】
例えば、操作手段を、遊技盤枠に形成された貫通穴と、この貫通穴に挿通可能なピン部材と、で構成し、貫通穴にピン部材を挿通させて、ピン部材の先端部で押圧レバーを押圧する場合、従来では、制御スイッチを構成するスイッチ部を、ピン部材を挿通させる貫通穴の中心線上に配置しなければならなかったが、押圧レバーが操作手段（ピン部材）から受ける力の向きと作動片が移動する方向とを変えることで、制御スイッチの配設の自由度が増大する。
【００３４】
すなわち、貫通穴はできるだけ、遊技機の端部側に配置した方が良いが、制御スイッチは配線等の関係で裏セット本体の端部側に配置させることはあまり好ましくない。このため、押圧レバーがピン部材から受ける力の向きと作動片が移動する方向とを変えることで、貫通穴と制御スイッチとを離間させた状態で配置することが可能となる。
【００３５】
請求項３に記載の発明では、作動片に対向して基体部から弾性片を延出させており、この弾性片は、凹部に当接して押圧レバーが回転した状態で弾性力が蓄積される。
【００３６】
このため、押圧レバーを回転させる力を解除すると、弾性片の復元力によって押圧レバーを元の位置に復帰させることが可能となる。従って、押圧された押圧レバーを弾性片によって元の位置に復帰させるようにすることで、押圧レバーを復帰させるための作動片の弾性力を軽減させることができる。
【００３７】
このため、例えば、制御スイッチを作動させるために制御スイッチを押圧する場合、作動片の弾性力を軽減させることで、制御スイッチを押圧する押圧力を小さくすることができるので、制御スイッチに必要以上の負荷が掛からないようにすることができる。
【００３８】
請求項４に記載の発明では、遊技盤枠又は裏セット本体に凹部を凹設している。この凹部内には基体部及び弾性片を収納し、作動片は凹部からはみ出させている。このように、遊技盤枠又は裏セット本体に凹部を凹設することで、遊技盤枠又は裏セット本体に、別部品として、凹部を有する箱体などを設ける必要はないので、その分コストダウンを図ることができる。
【００３９】
請求項５に記載の発明では、作動片を制御スイッチへガイドするガイドリブを設けている。押圧レバーの回転によって作動片は遊技盤枠又は裏セット本体に当接した状態で伸長するが、ガイドリブによって、作動片を制御スイッチへ向けて真直ぐに伸長させることができる。
【００４０】
【発明の実施の形態】
本発明の実施の形態に係る球抜きユニットについて説明する。
【００４１】
まず、遊技機としてのパチンコ機の球排出機構について概要を説明する。
【００４２】
図２に示すように、パチンコ機１０の裏セット本体１２の上部には、パチンコ球を貯溜する球貯溜タンク１４が設けられている。この球貯溜タンク１４は、タンクレール１６と連通しており、球貯溜タンク１４から流れ出るパチンコ球を整列状態で流下させている。
【００４３】
このタンクレール１６の下端には、球供給路１８が設けられており、球供給路１８の下端には球排出装置２０が配設されている。この球排出装置２０には、パチンコ球を受け入れ可能な複数の凹部２５Ａが形成されたスプロケット２５が配設されており、球供給路１８から流下されたパチンコ球は、スプロケット２５の凹部２５Ａ内に受け入れられた状態で正逆回転式のスプロケット２５の回転によって、球排出装置２０から排出される。
【００４４】
この球排出装置２０にはパチンコ機１０の裏側から見て左側下部に賞／貸球流下路２２が連通しており、右側下部に球抜き流下路２３が連通している。このため、球排出装置２０から排出されるパチンコ球は、スプロケット２５が反時計方向に回転すると、賞／貸球流下路２２へ案内され、スプロケット２５が時計方向に回転すると、球抜き流下路２３へ案内される。
【００４５】
一方、パチンコ機１０の前面側には、遊技盤２４の下方に上球皿２６及び下球皿２８が設けられている。上球皿２６は球流下路２２と連通しており、球流下路２２へ案内された遊技球は上球皿２６へ排出される。
【００４６】
球排出装置２０から排出されるパチンコ球によって上球皿２６内が満杯になったとき、後続のパチンコ球はオーバーフロー通路２７を経由して下球皿２８内へ排出される。ここで、オーバーフロー通路２７には、パチンコ球貯留量が満杯か否かを検出する満杯検出スイッチ３０が設けられている。
【００４７】
上球皿２６及び下球皿２８が満杯となり満杯検出スイッチ３０の検出位置までパチンコ球が溜まると、満杯検出スイッチ３０の出力がオン状態となり、球箱（図示省略）へ遊技球を排出するようアナウンス等の報知が為される。尚、満杯検出スイッチ３０は賞／貸球流下路２２に設けるようにしても良い。
【００４８】
一方、裏セット本体１２の下部には制御基板３１が設けられている。この制御基板３１には、球排出装置２０の通常の排出動作（賞球や貸球の排出動作）を制御する払出制御回路３４と、球排出装置２０の球抜き動作を制御する球抜き制御回路３６とが設けられている。
【００４９】
遊技中に、パチンコ球が図１に示す遊技盤２４に設けられた入賞装置３２に入賞すると、図示しない入賞球センサから出力される入賞球検出信号に基づいて、払出制御回路３４へ信号が送信され、これにより、球排出装置２０が駆動して、入賞価値に応じた所定数のパチンコ球（賞球）を排出させる。この排出された賞球は球流下路２２を通って上球皿２６内へ流下する。
【００５０】
また、球貸し機能を備えた「ＣＲ機」の場合は、パチンコ機１０の前面の図示しないカードユニットに球貸し用の磁気カードが挿入され球貸し信号が入力されると、払出制御回路３４へ信号が送信され、これにより、球排出装置２０が駆動して、支払い代価に応じた所定数のパチンコ球（貸球）が排出される。この排出された貸球は球流下路２２を通って上球皿２６内へ流下する。
【００５１】
一方、機台交換時や保守点検時等、機内からパチンコ球を球抜きする必要がある時は、球抜き制御回路３６へ信号を送信し（後述する）、これにより、球排出装置２０を連続的に排出動作（球抜き動作）させて、球貯溜タンク１４から球排出装置２０までの球供給路１８内のパチンコ球を、球抜き流下路２３へ案内してパチンコ機１０外へ排出させて球抜きする。
【００５２】
ここで、球抜き流下路２３には、パチンコ球の通過を検出する球通過センサ３８が設けられており、球排出装置２０の球抜き動作中に、球通過センサ３８により、パチンコ球の通過が検出されない時間が所定時間以上となったときに、機内のパチンコ球が全て球抜きされたと判断して、球排出装置２０の球抜き動作を終了する。
【００５３】
一方、パチンコ機１０の上方部には、球排出装置２０の球抜き動作を報知する球抜き報知手段として球抜き報知ランプ（図示省略）が設けられており、球排出装置２０が球抜き動作している間、パチンコ機１０の上方部の球抜き報知ランプに報知信号が入力され、球抜き報知ランプが点灯又は点滅する。これにより、球抜き中であることを、パチンコ店の従業員に報知する。
【００５４】
次に、本発明の実施の形態に係る球抜きユニットについて説明する。
【００５５】
まず、図１及び図５に示すように、本発明の実施の形態に係る球抜きユニットを用いるパチンコ機１０では、遊技盤２４を覆うガラス８５が取付けられたガラス枠８６、遊技盤２４が取付けられた遊技盤枠８８を貫通する貫通穴９０（操作手段）がパチンコ機１０の外縁側に設けられている。
【００５６】
一方、図４に示すように、裏セット本体１２には、略直方体状の凹部４０が凹設されており、この凹部４０の幅方向の両側壁４０Ａの中央部には、内縁部から所定の距離を置いて底面４０Ｂへ向かって略矩形状の開口部４２が形成されている。
【００５７】
ここで、凹部４０内には、図３及び図４に示す箱状のベース部材４４が収納可能となっており、このベース部材４４の幅方向に配置された一対の側壁４４Ａには、略矩形状の切り込み部４６が底面４４Ｂ側の辺を残して形成されている。この切り込み部４６の内側には、係合片４８が設けられており、この係合片４８の先端部には、ベース部材４４の側壁４４Ａの外面から張り出す爪部５０が突設されている。
【００５８】
また、係合片４８の側端部には、係合片４８の基部から爪部５０の先端部に架けて徐々に拡幅するステイ５２が設けられており、爪部５０を補強すると共に、凹部４０内にベース部材４４を収納させるとき、ステイ５２の先端面が凹部４０の側壁４０Ａの内面に当接可能となっている。
【００５９】
さらに、係合片４８は、凹部４０に形成された開口部４２内を挿通可能となっており、凹部４０内にベース部材４４を収納させるとき、係合片４８のステイ５２が凹部４０の側壁４０Ａの内面に当接し、ステイ５２の拡幅に伴って、係合片４８同士を徐々に挟幅させ、係合片４８の爪部５０が開口部４２に到達すると、係合片４８が拡幅して、爪部５０が開口部４２の周縁部に係止される。
【００６０】
これにより、ベース部材４４が凹部４０内に抜け止めされた状態で収納され、ベース部材４４が凹部４０内に収容された状態でベース部材４４の側壁４４Ａ、４４Ｃの先端面が裏セット本体１２の裏面と面一となる。
【００６１】
また、ベース部材４４の両側壁４４Ｃの略中央部には、貫通穴５４が形成されており、貫通穴５４から側壁４４Ｃの上縁部に架けて溝部５５が凹設され、側壁４４Ｃが薄肉となっている。
【００６２】
一方、ベース部材４４には押圧部材５６の一部が収容可能となっている。この押圧部材５６には略箱状の基体部５８が備えられており、基体部５８の下方隅部には、基体部５８の幅方向に沿って軸部６２が突設されている。
【００６３】
ベース部材４４内に基体部５８を挿入し、軸部６２を溝部５５に沿って移動させ、軸部６２を貫通穴５４内に貫通させることで、押圧部材５６がベース部材４４に対して回動可能に軸支される。
【００６４】
ここで、軸部６２の上方には、ストッパ６４が突設しており、押圧部材５６がベース部材４４に対して回動可能に軸支された状態で、ストッパ６４の先端面の一部がベース部材４４の側壁４４Ｃの先端面に当接可能となっている。
【００６５】
また、ストッパ６４の先端面には、傾斜部６４Ａが設けられており、押圧部材５６が所定角度回動した状態で、傾斜部６４Ａが側壁４４Ｃの先端面に当接し、これにより、押圧部材５６の回動が規制されるようになっている。
【００６６】
一方、基体部５８の幅方向の一方の側壁上部からは、中央部に肉盗み用の中空部６６が凹設された略直方体状の連結部６８が張り出しており、ベース部材４４の幅よりも広く形成され、ベース部材４４から食み出した状態で配置される。
【００６７】
この連結部６８の端部には、連結部６８の張り出し方向に対して直交する方向へ向かってベース部材４４の側壁４４Ｃに対して平行に、中央部に肉盗み用の中空部７０が凹設された略直方体状の押圧レバー７２が設けられている。
【００６８】
この押圧レバー７２の、ベース部材４４の側壁４４Ｃから離間する側（押圧ポイント）を押圧すると、軸部６２には回転モーメントが発生し、押圧部材５６が回転するが、この押圧ポイントと、ガラス枠８６、遊技盤枠８８を貫通する貫通穴９０の位置とが一致するように配置されている。
【００６９】
ところで、基体部５８の下方からは、軸部６２の反対側の隅部から延出し、軸部６２側へ向かって湾曲する弾性片７４が設けられている。この弾性片７４は基体部５８がベース部材４４に軸支された状態でベース部材４４の底面に当接しており、押圧レバー７２が押圧された状態で、この弾性片７４には弾性力が蓄積される。
【００７０】
また、基体部５８の幅方向の他方の側壁上縁部からは、上方へ向かって立ち上がった後、弾性片７４と略対面するように湾曲する作動片７６が延出しており、作動片７６の先端部には、基体部５８の側壁４４Ａと略平行に形成された当接部７８が設けられている。
【００７１】
この作動片７６は基体部５８がベース部材４４に軸支された状態でベース部材４４からはみ出しており、当接部７８が裏セット本体１２の裏面に当接可能となっている。このため、押圧レバー７２を押圧し、押圧部材５６を回動させると、当接部７８が裏セット本体１２の裏面に当接した状態のまま、弾性力が蓄積されると共に作動片７６が伸長し、当接部７８はベース部材４４の側壁４４Ａから離間する方向へスライド移動する。
【００７２】
一方、当接部７８の移動軌跡上には、マイクロスイッチ８０が配設されており、当接部７８によって押圧可能となっている。このマイクロスイッチ８０は球排出装置２０（図２参照）と電気的に接続されており、マイクロスイッチ８０が押圧され、スイッチがＯＮ状態になると、球抜き制御回路３６（図２参照）へ信号が送信され、球排出装置２０が連続的に排出動作（球抜き動作）を行なう。
【００７３】
また、マイクロスイッチ８０の近傍には、凹部４０側へ向かって平行にガイドリブ８２（図７参照）が立設している。このガイドリブ８２の離間距離は、当接部７８の幅よりも若干大きくしており、ガイドリブ８２の間を当接部７８が通過可能となっている。
【００７４】
ここで、マイクロスイッチ８０は裏セット本体１２の裏面に固着された台座８４を介して裏セット本体１２の裏面に固定しても良い。この場合、台座８４を摩擦係数の低い材質で形成することで、当接部７８の摺動抵抗を低くすることができる。
【００７５】
次に、本形態に係る球抜きユニットの作用について説明する。
【００７６】
図５及び図６に示すように、ガラス枠８６、遊技盤枠８８を貫通する操作手段としての貫通穴９０を設け、この貫通穴９０と押圧部材５６に備えられた押圧レバー７２の押圧ポイント（押圧によって軸部６２に回転モーメントを発生させる箇所）の位置を一致させることで、パチンコ機１０の前面側から、操作手段としてのピン部材９２を貫通穴９０に挿通して、裏セット本体１２に配設された押圧部材５６の押圧レバー７２を押圧するだけで、押圧部材５６を介して、パチンコ球の排出動作を制御する球抜き制御回路３６へ信号を送信するマイクロスイッチ８０を押圧することができる。
【００７７】
すなわち、パチンコ機１０の前面側からパチンコ球の排出動作を制御することができる。このため、パチンコ球をパチンコ機１０から排出させるときに、ガラス枠８６及び遊技盤枠８８を開放させる必要がないので、作業が簡単で、短時間で作業を行なうことができる。
【００７８】
また、マイクロスイッチ８０は裏セット本体１２の裏面に配設しているため、遊技者が直接マイクロスイッチ８０を押圧することはできない。このため、遊技者の不正を防止することができる。
【００７９】
一方、押圧部材５６において、基体部５８から押圧レバー７２、作動片７６及び弾性片７４を延出させ、基体部５８と押圧レバー７２と作動片７６と弾性片７４とを一体に設けることで、押圧レバー７２を復帰させる手段としてうず巻ばね等を用いた場合と比較して、部品点数を削減することができると共に、うず巻ばねを取り付ける手間が省けるため、作業工数も削減され、コストの軽減を図ることができる。また、ばねのへたりがないため、押圧レバー７２の復帰力のバラツキが小さい。
【００８０】
また、作動片７６を、押圧レバー７２が延出された方向に対して略直交する方向へ延出させ、また、裏セット本体１２に当接した状態で弾性力を蓄積させ、伸長させることで、押圧レバー７２がピン部材９２から受ける力の向きと作動片７６がマイクロスイッチ８０を押圧する力の向きとを変えることができる。
【００８１】
具体的には、押圧レバー７２が押圧されると、基体部５８の揺動によって作動片７６が裏セット本体１２に当接する。この状態からさらに基体部５８が揺動すると、作動片７６は裏セット本体１２に当接した状態のまま弾性力が蓄積されると共に伸長する。従って、作動片７６が伸長する方向へマイクロスイッチ８０を配設することで、マイクロスイッチ８０を押圧することが可能となる。
【００８２】
従来では、図１１に示すように、制御スイッチ１４０を構成するスイッチ部１４０Ａを、ピン部材１４４を挿通させる貫通穴１４２の中心線上に配置しなければならなかったが、図５及び図６に示すように、押圧レバー７２がピン部材９２から受ける力の向きと作動片７６がマイクロスイッチ８０へ与える力の向きとを変えることで、制御スイッチ８０を貫通穴９０の中心線上に配置する必要はなくなり、マイクロスイッチ８０の配設の自由度が増大する。
【００８３】
すなわち、貫通穴９０はできるだけ、パチンコ機１０の端部側に配置した方が良いが、マイクロスイッチ８０は配線等の関係で裏セット本体１２の端部側に配置させることはあまり好ましくない。
【００８４】
このため、押圧レバー７２がピン部材９２から受ける力の向きと作動片が制御スイッチへ与える力の向きとを変えることで、貫通穴９０とマイクロスイッチ８０とを離間させた状態で配置することが可能となる。
【００８５】
また、基体部５８の裏面から、軸部６２の反対側の隅部から軸部６２側へ向かって湾曲する弾性片７４を延出させ、この弾性片７４を基体部５８がベース部材４４に軸支された状態でベース部材４４の底面に当接させることで、押圧レバー７２を押圧し、押圧部材５６を回動させると、弾性片７４には弾性力が蓄積されるため、押圧レバー７２への押圧力を解除すると、弾性片７４は復元し、押圧レバー７２を元の状態に復帰させることができる。
【００８６】
このように、押圧された押圧レバー７２を弾性片７４によって元の位置に復帰させるようにすることで、押圧レバー７２を復帰させるための作動片７６の弾性力を軽減させることができる。従って、マイクロスイッチ８０を押圧する押圧力を小さくすることができ、マイクロスイッチ８０に必要以上の負荷が掛からないようにすることができる。
【００８７】
しかし、これは、必ずしも押圧部材５６には弾性片７４が必要であるというものではなく、作動片７６に押圧レバー７２を復帰させるための弾性力を蓄積させるようにしても良いのは勿論のことである。
【００８８】
また、マイクロスイッチ８０の近傍に、凹部４０側へ向かって平行にガイドリブ８２を立設させ、ガイドリブ８２の間を当接部７８を通過させて、当接部７８をマイクロスイッチ８０へガイドするようにしている。
【００８９】
これにより、押圧レバー７２の押圧によって、作動片７６が裏セット本体１２に当接した状態で伸長するときに、作動片７６をマイクロスイッチ８０へ向けて真直ぐに伸長させることができる。
【００９０】
さらに、基体部５８と、押圧レバー７２と、作動片７６と、弾性片７４と、を一体成形することで、部品点数が少なくなると共に、組付けする必要はなく、作業工数を削減することができ、コストダウンを図ることができる。
【００９１】
なお、ここでは、裏セット本体１２に凹部４０を凹設し、この凹部４０内にベース部材４４を収納するようにしたが、必ずしもベース部材４４を用いる必要はなく、図７に示すように、裏セット本体９４に凹設した凹部９６に直接押圧部材５６を回動可能に軸支させても良い。
【００９２】
このように、裏セット本体９４に凹部９６を凹設することで、裏セット本体９４に、別部品として、ベース部材４４（図３参照）を設ける必要はないので、その分コストダウンを図ることができる。
【００９３】
また、球抜きユニットの設置構成は、本実施例のように回動方向が縦方向になる構成に限定されず、回動方向を適宜変更（例えば、横方向）して設置しても良い。さらに、ここでは、マイクロスイッチ８０及び押圧部材５６を裏セット本体１２に配設したが、遊技盤枠８８に設置しても良い。
【００９４】
また、本形態では、賞／貸球流下路２２と球抜き流下路２３を別々に設けたパチンコ機に適用させたが、賞球、貸球及び球抜きの際のパチンコ球の流下路を一つにしたパチンコ機に対して本発明の球抜きユニットを適用させても良い。
【００９５】
さらに、作動片７６の先端部に設けられた当接部７８によってマイクロスイッチ８０を押圧したが、球抜き操作を行う制御スイッチを作動させることができれば良いため、これに限るものではなく、マイクロスイッチの代わりに光センサなどの非接触センサを用いても良い。
【００９６】
この場合、図示はしないが、例えば、非接触センサとしてフォトインタラプタを用い、作動片の先端部に設けられた当接部を案内するガイドリブに、フォトインタラプタの発光素子と受光素子とを対面させた状態で配設すると共に、押圧レバーが押圧されると、作動片の当接部が発光素子と受光素子との間に配置されるようにし、受光素子には球排出装置を制御する制御スイッチを接続して、受光素子に光が到達しないと、制御スイッチが作動して、球抜き操作が行われるようにしても良い。但し、非接触センサによって制御スイッチを作動させることができれば良いため、これに限るものではない。
【００９７】
また、本形態では、操作手段として、遊技盤枠に貫通穴を設け、この貫通穴にピン部材を挿通して押圧レバーを押圧したが、パチンコ機１０の前面側から押圧レバーを操作することができれば良いため、これに限るものではなく、例えば、遊技盤枠に出没可能な突出部を設け、この突出部を押圧することで押圧レバーが押圧されるようにしても良い。
【００９８】
【発明の効果】
本発明は上記構成としたので、請求項１に記載の発明では、押圧レバー及び作動片を基体部から延出させることで、押圧レバー及び作動片を基体部と一体に設けることができ、また、操作手段によって操作された押圧レバーを、作動片によって復帰させることで、押圧レバーを復帰させる手段としてうず巻ばね等を用いた場合と比較して、部品点数を削減することができると共に、うず巻ばねを取り付ける手間が省けるため、作業工数も削減され、コストの軽減を図ることができる。また、ばねのへたりがないため、押圧レバーの復帰力のバラツキが小さい。
【００９９】
請求項２に記載の発明では、押圧レバーが操作手段から受ける力の向きと作動片が移動する方向とを変えることで、制御スイッチの配設の自由度が増大する。このため、貫通穴と制御スイッチとを離間させた状態で配置することが可能となる。
【０１００】
請求項３に記載の発明では、押圧された押圧レバーを弾性片によって元の位置に復帰させるようにすることで、押圧レバーを復帰させるための作動片の弾性力を軽減させることができる。このため、制御スイッチを押圧する押圧力を小さくすることができるので、制御スイッチに必要以上の負荷が掛からないようにすることができる。
【０１０１】
請求項４に記載の発明では、遊技盤枠又は裏セット本体に凹部を凹設することで、遊技盤枠又は裏セット本体に、別部品として、凹部を有する箱体などを設ける必要はないので、その分コストダウンを図ることができる。請求項５に記載の発明では、ガイドリブによって、作動片を制御スイッチへ向けて真直ぐに伸長させることができる。
【図面の簡単な説明】
【図１】本発明の実施の形態に係る球抜きユニットが用いられたパチンコ機の前面側を示す斜視図である。
【図２】本発明の実施の形態に係る球抜きユニットが用いられたパチンコ機の背面側を示す正面図である。
【図３】本発明の実施の形態に係る球抜きユニットを示す分解斜視図である。
【図４】本発明の実施の形態に係る球抜きユニットを組み付けた状態を示す断面図である。
【図５】本発明の実施の形態に係る球抜きユニットの押圧レバーが押圧されていない状態を示す説明図である。
【図６】本発明の実施の形態に係る球抜きユニットの押圧レバーが押圧された状態を示す説明図である。
【図７】本発明の実施の形態に係る球抜きユニットの変形例を示す分解斜視図である。
【図８】従来の球抜きユニットを示す正面図である。
【図９】従来の球抜きユニットを示す斜視図である。
【図１０】従来の球抜きユニットの他の例を示す分解斜視図である。
【図１１】従来の球抜きユニットの他の例を示す断面図である。
【符号の説明】
１０　　　　　パチンコ機
１２　　　　　裏セット本体
４０　　　　　凹部（作動手段）
５６　　　　　押圧部材（作動手段）
５８　　　　　基体部（作動手段）
６２　　　　　軸部（軸体、作動手段）
７２　　　　　押圧レバー（作動手段）
７４　　　　　弾性片
７６　　　　　作動片（作動手段）
８０　　　　　マイクロスイッチ（制御スイッチ）
８２　　　　　ガイドリブ
８８　　　　　遊技盤枠
９０　　　　　貫通穴（操作手段）
９２　　　ピン部材（操作手段）
９４　　　　　裏セット本体
９６　　　　　凹部（作動手段）
【図１】
2004135741.tif 000003
【図２】
2004135741.tif 000004
【図３】
2004135741.tif 000005
【図４】
2004135741.tif 000006
【図５】
2004135741.tif 000007
【図６】
2004135741.tif 000008
【図７】
2004135741.tif 000009
【図８】
2004135741.tif 000010
【図９】
2004135741.tif 000011
【図１０】
2004135741.tif 000012
【図１１】
2004135741.tif 000013